(57)【要約】【課題】製作コストを高くすることなく、ソファー姿勢として使用した場合におけるクッション性を向上でき、しかも見栄性に優れたソファー兼用ベッドを提供する。【解決手段】横臥した利用者の頭部と腰部と足部とをそれぞれ支持する頭部マット１０と腰部マット１１と足部マット１２とを有し、頭部マット１０を腰部マット１１に対して回動自在に連結するとともに、足部マット１３を腰部マット１１の上側に連結手段１３を介して重ね合わせ可能に連結し、これら３つのマット１１〜１３を略平板状に広げたベッド姿勢と、足部マット１２を腰部マット１１の上側に重ね合わせてなるクッション部５と、頭部マット１０を傾斜状に立ち上げてなる背凭れ部６とを有するソファー姿勢とに姿勢切換可能となした。【選択図】図４
2009207559.tif 000002
【特許請求の範囲】
【請求項１】
横臥した利用者の頭部と腰部と足部とをそれぞれ支持する頭部マットと腰部マットと足部マットとを有し、頭部マットを腰部マットに対して回動自在に連結するとともに、足部マットを腰部マットの上側に連結手段を介して重ね合わせ可能に連結し、これら３つのマットを略平板状に広げたベッド姿勢と、足部マットを腰部マットの上側に重ね合わせてなるクッション部と、頭部マットを傾斜状に立ち上げてなる背凭れ部とを有するソファー姿勢とに姿勢切換可能となしたソファー兼用ベッド。
【請求項２】
前記頭部マットを腰部マット側の本体部と遊端側のヘッド部とに分割構成して両者を回動自在に連結し、ソファー姿勢においてヘッド部を本体部の上端から略水平に後方へ突出する水平姿勢に姿勢切換可能となした請求項１記載のソファー兼用ベッド。
【請求項３】
前記マットを、パイプ部材からなるマットフレームと、該マットフレームに積層状に設けたプラスチック段ボールと、該マットフレーム及びプラスチック段ボールを覆うクッション材とで構成した請求項１又は２記載のソファー兼用ベッド。
【請求項４】
前記マットを支持する第１支持手段として、前記頭部マットを支持する頭部支持台を設けるとともに、腰部マットを支持する腰部支持台を頭部支持台内へ移動可能に設け、さらに足部マットの両側部に足部支持脚を、下方へ延びて足部マットを支持可能な支持姿勢と、上方へ回動させた収納姿勢と姿勢切換可能に設けた請求項１〜３のいずれか１項に記載のソファー兼用ベッド。
【請求項５】
前記腰部支持台の下端部に、頭部支持台に設けたガイドレールに沿って移動可能なガイド輪と、床面上を移動可能な走行輪とを設け、腰部支持台を頭部支持台に嵌合させた状態で、走行輪の支持シャフトを一段高い位置に支持して、走行輪を床面から切り離す切離手段を設けた請求項４記載のソファー兼用ベッド。
【請求項６】
前記頭部支持台に両側部に上方へ延びるサイドボードを設け、ソファー姿勢において、前記足部支持脚を、腰部マット及び足部マットとサイドボード間に収納した請求項４又は５記載のソファー兼用ベッド。
【請求項７】
前記マットを支持する第２支持手段として、前記腰部マットを支持する腰部支持台を設けるとともに、頭部マットを支持する頭部支持脚を設け、さらに足部マットの両側部に足部支持脚を、下方へ延びて足部マットを支持可能な支持姿勢と、上方へ回動させた収納姿勢と姿勢切換可能に設けた請求項１〜３のいずれか１項に記載のソファー兼用ベッド。
【請求項８】
前記頭部マットを腰部マット側の本体部と遊端側のヘッド部とに分割構成して両者を回動自在に連結し、ソファー姿勢においてヘッド部を本体部の上端から後方へ略水平に突出する水平姿勢に姿勢切換可能となし、前記頭部支持脚をヘッド部に設けた請求項７記載のソファー兼用ベッド。
【請求項９】
前記腰部支持台の両側部に上方へ延びるサイドボードを設け、ソファー姿勢において、前記足部支持脚を、腰部マット及び足部マットとサイドボード間に収納した請求項７又は８記載のソファー兼用ベッド。
【請求項１０】
前記サイドボードにアームレストを上昇位置と下降位置とに位置切換可能に取り付けた請求項６又は９記載のソファー兼用ベッド。
【請求項１１】
前記サイドボードを上部構造体と下部構造体とに分割構成して、上部構造体を下部構造体の上端部に回動自在に連結し、ソファー姿勢において、上部構造体を下部構造体から上方へ突出させた鉛直姿勢と、ベッド姿勢において、上部構造体を下部構造体の上端部から略水平に外側へ突出させた水平姿勢とに姿勢切換可能となした請求項６又は９に記載のソファー兼用ベッド。
【発明の詳細な説明】
【技術分野】
【０００１】
この発明は、ソファーとして使用可能なソファー姿勢と、ベッドとして使用可能なベッド姿勢とに姿勢切換可能なソファー兼用ベッドに関する。
【背景技術】
【０００２】
ソファー兼用ベッドとして、横臥した利用者の頭部と腰部と足部とをそれぞれ支持する頭部マットと腰部マットと足部マットとを有し、頭部マットを腰部マットに対して回動自在に連結するとともに、足部マットを腰部マットに回動自在に連結し、頭部マットと腰部マットと足部マットを略平板状に広げたベッド姿勢と、頭部マットと腰部マットとを倒立Ｖ字状に立ち上げてなる背凭れ部と、足部マットからなるクッション部とを有するソファー姿勢とに姿勢切換可能となしものが提案されている（例えば、特許文献１参照。）。
【０００３】
【特許文献１】特開平８−２４２９７３号公報
【発明の開示】
【発明が解決しようとする課題】
【０００４】
前記特許文献１記載のソファー兼用ベッドでは、ソファー姿勢に切り換えた状態で、足部マットのみでソファーのクッション部が形成されるので、十分なクッション性を確保するためにはマットを厚肉に構成する必要があるが、マットを厚肉に構成するとそれに応じてソファー兼用ベッドの製作コストが高くなるという問題があった。また、ソファーとして使用したときにおけるクッション部の奥行きは、太ももの長さに応じたものに設定する必要があり、それ程長く設定できないことから、その分頭部マットと腰部マットが長くなり、ソファー姿勢において背凭れ部が高くなり、見栄性が低下するという問題がある。
【０００５】
本発明の目的は、製作コストを高くすることなく、ソファー姿勢として使用した場合におけるクッション性を向上でき、しかも見栄性に優れたソファー兼用ベッドを提供することである。
【課題を解決するための手段】
【０００６】
本発明に係るソファー兼用ベッドは、横臥した利用者の頭部と腰部と足部とをそれぞれ支持する頭部マットと腰部マットと足部マットとを有し、頭部マットを腰部マットに対して回動自在に連結するとともに、足部マットを腰部マットの上側に連結手段を介して重ね合わせ可能に連結し、これら３つのマットを略平板状に広げたベッド姿勢と、足部マットを腰部マットの上側に重ね合わせてなるクッション部と、頭部マットを傾斜状に立ち上げてなる背凭れ部とを有するソファー姿勢とに姿勢切換可能となしたものである。
【０００７】
このソファー兼用ベッドでは、頭部マットと腰部マットと足部マットを略平板状に広げたベッド姿勢と、足部マットを腰部マットの上側に重ね合わせてなるクッション部と、頭部マットを傾斜状に立ち上げてなる背凭れ部とを有するソファー姿勢とに、ソファー兼用ベッドの姿勢を切換えることができる。そして、ソファー姿勢に切り換えた状態で、足部マットを腰部マットの上側に重ね合わせてクッション部を構成できるので、マットを肉厚に構成してソファー兼用ベッドの製作コストを高めることなく、ソファー姿勢でのクッション部のクッション性を大幅に向上できる。
【０００８】
ここで、前記頭部マットを腰部マット側の本体部と遊端側のヘッド部とに分割構成して両者を回動自在に連結し、ソファー姿勢においてヘッド部を本体部の上端から略水平に後方へ突出する水平姿勢に姿勢切換可能となすことも好ましい実施の形態である。この場合には、頭部マットのヘッド部を水平姿勢に切換えることで、ソファー姿勢において背凭れ部の高さが高くなりすぎることによる、ソファーの見栄性の低下を防止できる。しかも、略水平に後方へ突出するヘッド部により、ソファー姿勢での外観に奥行き感を付与して、ソファーを全体的に高級感のあるデザインに仕上げることができる。
【０００９】
前記マットを、パイプ部材からなるマットフレームと、該マットフレームに積層状に設けたプラスチック段ボールと、該マットフレーム及びプラスチック段ボールを覆うクッション材とで構成することも好ましい実施の形態である。この場合には、プラスチック段ボールにより、マットの耐荷重性能を大幅に向上しつつ、マット重量の増大を抑制できる。
【００１０】
このソファー兼用ベッドは、これをそのまま床に設置して使用することも可能であるが、次のような構成の支持手段を設けることによって、マットを厚肉に構成することなく、マットをソファーやベッドの使用に適した高さに支持することもできる。支持手段としては、次のような２種類の第１支持手段や第２支持手段を好適に採用できるが、それ以外の支持手段を採用することも本発明の範疇である。
【００１１】
第１支持手段として、前記頭部マットを支持する頭部支持台を設けるとともに、腰部マットを支持する腰部支持台を頭部支持台内へ移動可能に設け、さらに足部マットの両側部に足部支持脚を、下方へ延びて足部マットを支持可能な支持姿勢と、上方へ回動させた収納姿勢と姿勢切換可能に設けることも好ましい実施の形態である。この第１支持手段では、頭部支持台と腰部支持台と足部支持脚とからなる支持手段により、ベッド姿勢におけるマット上面の高さ位置や、ソファー姿勢における足部マット上面の高さ位置を適正高さに設定して、使い勝手の良い高さのベッドやソファーを実現できる。また、足部支持脚を支持姿勢と収納姿勢とに姿勢切換可能に構成することで、ソファー姿勢において足部支持脚がソファーの使用の邪魔になることを防止できる。加えて、ソファー兼用ベッドの姿勢をベッド姿勢からソファー姿勢に切換えた後、前後方向に移動自在な腰部支持台を頭部支持台内へ移動させることによって、ソファー姿勢のソファー兼用ベッドをその後方の壁面近くに容易に移動させることが可能となる。
【００１２】
前記第１支持手段を採用したソファー兼用ベッドにおいて、前記腰部支持台の下端部に、頭部支持台に設けたガイドレールに沿って移動可能なガイド輪と、床面上を移動可能な走行輪とを設け、腰部支持台を頭部支持台に嵌合させた状態で、走行輪の支持シャフトを一段高い位置に支持して、走行輪を床面から切り離す切離手段を設けることも好ましい実施の形態である。この場合には、頭部支持台に対する腰部支持台の移動操作性を十分に確保しつつ、ソファー姿勢に切換えた状態で、切離手段により走行輪を床面から切り離すので、例えばソファーに着座しているときに、腰部支持台が頭部支持台から意図せず前方へ移動するという不具合を防止することができる。
【００１３】
前記第１支持手段を採用したソファー兼用ベッドにおいて、前記頭部支持台に両側部に上方へ延びるサイドボードを設け、ソファー姿勢において、前記足部支持脚を、腰部マット及び足部マットとサイドボード間に収納することも好ましい実施の形態である。この場合には、ソファー姿勢において、足部支持脚の外面側をサイドボードで覆って、足部支持脚が外部に露出することによるソファーの外観低下を防止できる。
【００１４】
第２支持手段として、前記腰部マットを支持する腰部支持台を設けるとともに、頭部マットを支持する頭部支持脚を設け、さらに足部マットの両側部に足部支持脚を、下方へ延びて足部マットを支持可能な支持姿勢と、上方へ回動させた収納姿勢と姿勢切換可能に設けることも好ましい実施の形態である。この第２支持手段では、頭部支持脚と足部支持脚と腰部支持台とからなる安価に製作可能な簡単な構成の支持手段により、ベッド姿勢におけるマット上面の高さ位置や、ソファー姿勢における足部マット上面の高さ位置を適正高さに設定して、使い勝手の良い高さのベッドやソファーを安価に実現できる。また、足部支持脚を支持姿勢と収納姿勢とに姿勢切換可能に構成することで、ソファー姿勢において足部支持脚がソファーの使用の邪魔になることを防止できる。
【００１５】
前記第２支持手段を採用したソファー兼用ベッドにおいては、前記頭部マットを腰部マット側の本体部と遊端側のヘッド部とに分割構成して両者を回動自在に連結し、ソファー姿勢においてヘッド部を本体部の上端から後方へ略水平に突出する水平姿勢に姿勢切換可能となし、前記頭部支持脚をヘッド部に設けることも好ましい実施の形態である。この場合には、前述と同様に、頭部マットのヘッド部を水平姿勢に切換えることで、ソファー姿勢において背凭れ部の高さが高くなりすぎることによる、ソファーの見栄性の低下を防止できるとともに、略水平に後方へ突出するヘッド部により、ソファー姿勢での外観に奥行き感を付与して、ソファーを全体的に高級感のあるデザインに仕上げることができる。加えて、頭部支持脚をヘッド部に設けているので、ソファー姿勢において、ヘッド部を水平姿勢に切換えた状態で、頭部支持脚は頭部マットの本体部の後面側に沿うように配置され、頭部支持脚が後方へ突出することによるソファーの外観低下を防止できる。特に、頭部支持脚を頭部マットの回動中心付近に配置させると、ソファー姿勢において頭部支持脚を、本体部の後面に隙間なく配置させることができ、頭部支持脚を設けることによるソファーの外観低下を効果的に防止することができる。
【００１６】
また、前記第２支持手段を採用したソファー兼用ベッドでは、前記腰部支持台の両側部に上方へ延びるサイドボードを設け、ソファー姿勢において、前記足部支持脚を、腰部マット及び足部マットとサイドボード間に収納することも好ましい実施の形態である。この場合には、ソファー姿勢において、足部支持脚の外面側をサイドボードで覆って、足部支持脚が外部に露出することによるソファーの外観低下を防止することができる。
【００１７】
前述のようにサイドボードを設ける場合には、前記サイドボードにアームレストを上昇位置と下降位置とに位置切換可能に取り付けることも好ましい実施の形態である。つまり、サイドボードを上方へ延ばして、ソファー姿勢において、サイドボードの上部をアームレストとして活用することもできるが、このように構成すると、ベッド姿勢においてサイドボードが高くなりすぎて、ベッドに横臥した状態で圧迫感を感じたり、ベッドの外観が低下したりするという問題がある。本発明では、サイドボードに対してアームレストを上昇位置と下降位置とに位置切換可能に取り付けることで、サイドボードの高さを低く設定することが可能となり、ベッドとして使用したときにおける前記問題を解決できる。
【００１８】
また、前記サイドボードを上部構造体と下部構造体とに分割構成して、上部構造体を下部構造体の上端部に回動自在に連結し、ソファー姿勢において、上部構造体を下部構造体から上方へ突出させた鉛直姿勢と、ベッド姿勢において、上部構造体を下部構造体の上端部から略水平に外側へ突出させた水平姿勢とに姿勢切換可能となすことも好ましい実施の形態である。この場合には、ソファー姿勢において、サイドボードの上部を構成する上部構造体を鉛直姿勢に回動させることで、上部構造体をアームレストして活用することができ、また、ベッド姿勢において、上部構造体を水平姿勢に回動させることで、サイドボードの高さを低く設定して、ベッド姿勢においてサイドボードが高くなりすぎて、ベッドに横臥した状態で圧迫感を感じたり、ベッドの外観が低下したりするという問題を防止できる。しかも、水平姿勢に回動させたアームレストの上部構造体の上面を、本を載せるスペースなどとして活用することも可能となる。
【発明の効果】
【００１９】
本発明に係るソファー兼用ベッドによれば、頭部マットと腰部マットと足部マットを略平板状に広げたベッド姿勢と、足部マットを腰部マットの上側に重ね合わせてなるクッション部と、頭部マットを傾斜状に立ち上げてなる背凭れ部とを有するソファー姿勢とに、ソファー兼用ベッドの姿勢を切換えることができる。そして、ソファー姿勢に切り換えた状態で、足部マットを腰部マットの上側に重ね合わせてクッション部を構成できるので、マットを肉厚に構成してソファー兼用ベッドの製作コストを高めることなく、ソファー姿勢でのクッション部のクッション性を大幅に向上できる。
【発明を実施するための最良の形態】
【００２０】
次に、本発明の実施の形態について、図面を参照しながら説明する。なお、本実施の形態では、ベッド姿勢におけるソファー兼用ベッドの頭部マット側を後方、足部マット側を前方として前後方向を定義して説明する。
【００２１】
図１〜図１３に示すように、ソファー兼用ベッド１は、図１、図３に図示のベッド姿勢と図２、図４に図示のソファー姿勢とに姿勢切換可能なマット本体２と、マット本体２を支持する支持手段３とを備えている。ただし、支持手段３を省略して、マット本体２のみでソファー兼用ベッドを構成することも可能である。この支持手段３が第１支持手段に相当する。
【００２２】
マット本体２は、横臥した利用者の頭部と腰部と足部とをそれぞれ支持する頭部マット１０と腰部マット１１と足部マット１２とを有している。頭部マット１０は腰部マット１１の前側に回動自在に連結され、足部マット１２は腰部マット１１の後側に連結手段１３を介して腰部マット１１の上側に重ね合わせ可能に連結され、マット本体２は、これら３つのマット１０〜１２を略平板状に広げたベッド姿勢と、足部マット１２を腰部マット１１の上側に重ね合わせてなるクッション部５と、頭部マット１０を傾斜状に立ち上げてなる背凭れ部６とを有するソファー姿勢とに姿勢切換可能に構成されている。また、頭部マット１０は、腰部マット１１側（前側）の本体部１４と遊端側（後側）のヘッド部１５とに分割構成され、本体部１４とヘッド部１５とは回動自在に連結され、ソファー姿勢においてヘッド部１５は、本体部１４の上端から略水平に後方へ突出する水平姿勢に姿勢切換可能に構成されている。
【００２３】
腰部マット１１と足部マット１２と連結手段１３と頭部マット１０を構成する本体部１４及びヘッド部１５とは、中空の角パイプからなる枠状のマットフレーム１１ａ〜１５ａを備え、ベッド姿勢において、マットフレーム１１ａ、１３ａ〜１５ａの上面と、足部マット１２のマットフレーム１２ａの上下両面にはプラスチック段ボールからなる補強板１６がマットフレーム１１ａ〜１５ａの開口を閉塞するように積層状に設けられ、この補強板１６により、マット本体２の耐圧荷重が高くなるように構成されている。
【００２４】
本体部１４のマットフレーム１４ａとヘッド部１５のマットフレーム１５ａとは第１ヒンジ１７ａを介して回動自在に連結され、本体部１４のマットフレーム１４ａと腰部マット１１のマットフレーム１１ａとは第２ヒンジ１７ｂを介して回動自在に連結され、腰部マット１１のマットフレーム１１ａと連結手段１３のマットフレーム１３ａとは第３ヒンジ１７ｃを介して回動自在に連結され、連結手段１３のマットフレーム１３ａと足部マット１２のマットフレーム１２ａとは第４ヒンジ１７ｄを介して回動自在に連結されている。ヒンジ１７ａ〜１７ｄの回動範囲は、ソファー姿勢とベッド姿勢とに姿勢切換可能な範囲にそれぞれ設定されている。連結手段１３としては、前述のように、マットフレーム１３ａを備えたものを採用することも可能であるが、腰部マット１１の上側に重ね合わせ可能に足部マット１２と腰部マット１１とを連結するものであれば任意の構成のものを採用することができ、例えば腰部マット１１のマットフレーム１１ａと足部マット１２のマットフレーム１２ａとを回動自在に連結する１対のリンク部材で構成することも可能である。また、第２ヒンジ１７ｂとして、ソファー姿勢における背凭れ部６の傾斜角度を多段階に角度調整可能なヒンジ部材を用いることも可能である。
【００２５】
補強板１６としては、軽量化及び耐荷重性能を考慮するとポリプロピレンなどからなるプラスチック段ボールを用いることが好ましいが、合板など周知の構成のものを用いることも可能である。また、マットフレーム１１ａ〜１５ａは、丸パイプで構成することも可能であるし、必要に応じて適宜に桟等を設けて補強することもできる。
【００２６】
マットフレーム１１ａ〜１５ａ及び補強板１６を覆うようにウレタンフォームなどからなるクッション材（図示略）が設けられ、クッション材を覆うように布製や革製の図示外のカバー部材が設けられている。ただし、頭部マット１０と腰部マット１１と足部マット１２とはそれぞれ独立にクッション材及びカバー部材で被覆することも可能である。
【００２７】
頭部マット１０と腰部マット１１と足部マット１２の長さや幅は、ベッドやソファーとして使用することを考慮して適宜に設定することができる。本実施の形態では、頭部マット１０を構成する本体部１４及びヘッド部１５のマットフレーム１４ａ、１５ａの長さを４８０ｍｍ、６０ｍｍにそれぞれ設定し、腰部マット１１のマットフレーム１１ａの長さを６００ｍｍ、連結手段１３のマットフレーム１３ａの長さを１３０ｍｍ、足部マット１２のマットフレーム１２ａの長さを５４０ｍｍに設定し、マットフレーム１１ａ〜１５ａの幅を１１１９ｍｍに設定し、マット本体２の厚さを１００ｍｍに設定したものを用いた。
【００２８】
前記支持手段３は、図３、図４、図６〜図１１に示すように、頭部マット１０を支持する頭部支持台２０と、腰部マット１１を支持する腰部支持台３０と、足部マット１２の両側に配置されて足部マット１２を支持する１対の足部支持脚４０とを備えている。
【００２９】
頭部支持台２０について説明すると、前側上部のフレームを除いた角パイプからなる偏平な直方体枠状の頭部支持フレーム２１が設けられ、この頭部支持フレーム２１の左右方向及び前後方向の長さは頭部マット１０のマットフレーム１４ａ、１５ａの左右方向及び前後方向の長さと略同じに設定されている。頭部支持フレーム２１の前後の下部フレーム２１ＦＬ、２１ＢＬは左右両側へ突出され、その両端部には上方へ延びる側板支持フレーム２２が固定されている。頭部支持台２０の両側には頭部支持台２０の下端近傍部から頭部支持台２０よりも上方へ延びるサイドボード２３が設けられ、左右のサイドボード２３は前後の側板支持フレーム２２に固定支持されている。但し、側板支持フレーム２２及びサイドボード２３は、ソファー兼用ベッド１の外観を向上する上で設けることが好ましいが、必須の構成ではなく、省略することも可能である。
【００３０】
頭部支持フレーム２１の左右の下部フレーム２１ＬＬ、２１ＲＬには床面Ｆへの設置用の１対の設置脚２４が前後に間隔をあけてそれぞれ固定され、左右の下部フレーム２１ＬＬ、２１ＲＬの上側には前後方向に延びる案内フレーム２５が左右の下部フレーム２１ＬＬ、２１ＲＬと平行に設けられている。左右の下部フレーム２１ＬＬ、２１ＲＬの後端部には上方へ延びる後部フレーム２６が設けられ、後部フレーム２６には上方へ延びるヘッドボード２７が固定されている。但し、ヘッドボード２７は、後述するように、頭部マット１０のヘッド部１５に回動自在に設けることも可能である。
【００３１】
頭部マット１０のマットフレーム１４ａ、１５ａには下側へ突出する複数の支持ピン１０ｂが設けられ、支持ピン１０ｂの下端部は頭部マット１０の下面から外部に露出され、ベッド姿勢において、頭部マット１０は支持ピン１０ｂの下端部を頭部支持フレーム２１の上面に載置させて頭部支持台２０に支持される。
【００３２】
サイドボード２３は上部構造体２３Ａと下部構造体２３Ｂとに分割構成され、両構造体２３Ａ、２３Ｂは角パイプからなる枠状のボードフレーム２３ａ、２３ｂと、ボードフレーム２３ａ、２３ｂを被覆する図示外のクッション材と、ボードフレーム２３ａ、２３ｂを回動自在に連結するヒンジ部材２３ｃと、サイドボード２３全体を覆う布製又は革製の図示外のカバー部材とを備えている。上部構造体２３Ａは下部構造体２３Ｂにヒンジ部材２３ｃを介して回動自在に連結され、上部構造体２３Ａは、下部構造体２３Ｂから上方へ突出させた鉛直姿勢と、下部構造体２３Ｂの上端部から略水平に外側へ突出させた水平姿勢とに姿勢切換可能に構成されている。下部構造体２３Ｂの上端部の高さは、ソファー姿勢における足部マット１２の上面の高さと略同じ高さに設定され、ソファー姿勢において、上部構造体２３Ｂを鉛直姿勢にすることで、上部構造体２３Ｂをアームレストとして活用でき、またベッド姿勢において、上部構造体２３Ｂを水平姿勢して、サイドボード２３を低くすることで、サイドボード２３による圧迫感を解消できるように構成されている。また、サイドボード２３はソファー姿勢において腰部マット１１及び足部マット１２との間に一定の隙間が形成されるように設けられ、ソファー姿勢において、この隙間に足部支持脚４０が収納されるように構成されている。
【００３３】
腰部支持台３０について説明すると、前側上部のフレームを除いた角パイプからなる偏平な直方体枠状の腰部支持フレーム３１が設けられ、この腰部支持フレーム３１は頭部支持フレーム２１の内側に嵌合挿入可能な寸法に設定されている。腰部支持フレーム３１の左右の下部フレーム３１ＬＬ、ＲＬの前端部には車輪支持金具３２ａが下方へ突出状に設けられ、車輪支持金具３２ａには床面Ｆを走行するための走行輪３２が回転自在に支持されている。腰部支持フレーム３１の後側の縦フレーム３１ＢＶの下端部には車輪支持金具３３ａが後方へ突出状に設けられ、この車輪支持金具３３ａには頭部支持フレーム２１の左右の下部フレーム２１ＬＬ、２１ＬＲとその上側の案内フレーム２５間を前後方向に移動可能なガイド輪３３が回転自在に支持されている。腰部支持台３０は、走行輪３２とガイド輪３３とを介して、頭部支持台２０から引き出した図３に図示の前進位置と、頭部支持台２０の内側に挿入嵌合させた図４に示す後退位置とにわたって前後方向に移動自在に頭部支持台２０に組み付けられている。左右の走行輪３２と左右のガイド輪３３とは支持シャフト３２ｂ、３３ｂを介してそれぞれ同期回転するように連結され、腰部支持台３０が精度良く前後方向に移動することで、腰部支持台３０を頭部支持台２０に対して容易に出し入れできるように構成されている。また、頭部支持フレーム２１の前側の下部フレーム２１ＦＬには左右１対の車輪支持板３４が前方へ突出状に固定され、腰部支持台３０を後退位置に移動させて、頭部支持台２０に挿入嵌合させるときに、左右の走行輪３２を連結する支持シャフト３２ｂの途中部を左右１対の車輪支持板３４上に載置することで、走行輪３２を床面Ｆから切り離して、ソファー姿勢において、腰部支持台３０が不用意に前方へ移動しないように構成されている。尚、この車輪支持板３４が切離手段に相当する。
【００３４】
腰部支持フレーム３１の左右の下部フレーム３１ＬＬ、３１ＲＬには断面Ｌ字状の支持板金（図示略）が内側へ突出状に設けられ、腰部支持フレーム３１の内側には収納ボックス３６が左右の支持板金に支持された状態で前後に出し入れ可能に設けられている。
【００３５】
腰部マット１１のマットフレーム１１ａには複数の支持ピン１１ｂが下方へ突出状に設けられ、腰部マット１１は、これら複数の支持ピン１１ｂの下端部を腰部支持フレーム３１に固定することによって、腰部支持フレーム３１上に固定載置されている。
【００３６】
足部支持脚４０について説明すると、足部マット１２のマットフレーム１２ａの両側部には側方へ突出する１対の連結ピン４１が前後に間隔をあけてそれぞれ２組、計４組設けられ、足部マット１２の側部においてこれら４組の連結ピン４１の端部には連結金具４２がそれぞれ固定されている。足部マット１２の両側には角パイプをコ字状に折り曲げてなる脚本体４３が設けられ、脚本体４３の両端部は足部マット１２の側部に設けられた前後の連結金具４２に回動自在に連結され、脚本体４３は、図３、図１２に図示の支持姿勢と図４、図１３に図示の収納姿勢とに姿勢切換可能に支持されている。
【００３７】
連結金具４２と脚本体４３との連結構造としては、脚本体４３を支持姿勢と収納姿勢とに節度感を持って切換可能で、しかも支持姿勢において足部マット１２を安定的に支持可能なものであれば任意の構成のものを採用できる。例えば、図１１に示す連結構造のように、連結金具４２として、左右１対の枢支部４４ａを突出形成した取付板金４４と、枢支部４４ａ間における取付板金４４の平坦部から浮かした状態で取付板金４４に取付可能な断面コ字状の板バネ４５と、取付板金４４と脚本体４３を連結するための連結シャフト４６を有するものを用い、脚本体４３として、脚本体４３の両端部に該両端部を結ぶ方向へ延びる支持スリーブ４７を固定し、支持スリーブ４７の途中部に平行な１対の平端面４７ａを形成したものを採用することができる。この連結構造を用いて脚本体４３を連結金具４２に組み付ける際には、取付板金４４に板バネ４５を取り付けた状態で、脚本体４３の支持スリーブ４７を取付板金４４の枢支部４４ａ間に配置させて、枢支部４４ａと支持スリーブ４７とに亙って連結シャフト４６を挿通させ、固定ネジ４８で連結シャフト４６を支持スリーブ４７に固定して、脚本体４３を連結金具４２に連結することになる。この連結構造では、支持スリーブ４７の一方の平端面４７ａが板バネ４５の平面に圧接されて、脚本体４３が支持姿勢に固定保持され、板バネ４５を変形させながら、脚本体４３を１８０度回動させることで、支持スリーブ４７の他方の平端面４７ａが板バネ４５の平面に圧接されて、脚本体４３が収納姿勢に固定保持されることになる。
【００３８】
このソファー兼用ベッド１をベッド姿勢からソファー姿勢へ切換える方法の一例について説明すると、先ず、図１２に示すように、連結手段１３を中心に足部マット１２を約１８０度回転させて、腰部マット１１の上側に足部マット１２を載置するとともに、頭部マット１０を立ち上げて、頭部マット１０により背凭れ部６を形成する。次に、図１３に示すように、連結金具４２の連結シャフト４６を中心に足部支持脚４０の脚本体４３を約１８０度下側へ回転させて、脚本体４３を収納姿勢に切換える。次に、腰部支持台３０をマット本体２とともに後方へ移動させ、腰部支持台３０を少し持ち上げながら後退位置まで移動させて、図４に示すように、走行輪３２の支持シャフト３２ｂを車輪支持板３４で支持させて、走行輪３２を床面Ｆから多少浮かした状態にし、腰部支持台３０を頭部支持台２０に挿入嵌合させ、必要に応じて、背凭れ部６が高くなりすぎないように、頭部マット１０のヘッド部１５を後方へ略水平に延びる水平姿勢に回動させ、またサイドボード２３の上部構造体２３Ａを上方へ延びる鉛直姿勢に回動させて、上部構造体２３Ａでアームレストを形成して、ソファー兼用ベッド１をソファー姿勢に切換えることになる。この状態で、足部支持脚４０は、足部マット１２及び腰部マット１１とサイドボード２３間に、外部に露出しないように収納されることになる。
【００３９】
また、ソファー姿勢からベッド姿勢に切換える際には、前記とは逆の手順で、腰部支持台３０を前進位置まで引き出すとともに、頭部マット１０のヘッド部１５を回動させて頭部マット１０を平板状にした後、頭部マット１０を水平に回動させて頭部支持台２０上に載置し、また足部支持脚４０の脚本体４３を支持姿勢に回動させてから、足部マット１２を約１８０度回転させて、足部マット１２を１対の足部支持脚４０で略水平に支持し、ソファー兼用ベッド１をベッド姿勢に切換えることになる。また、必要に応じて、サイドボード２３の上部構造体２３Ａを外側へ略水平に回動させて、サイドボード２３の高さを低く調整することになる。
【００４０】
次に、前記ソファー兼用ベッド１の構成を部分的に変更した他の実施の形態について説明する。なお、前記実施の形態と同一部材には同一符号を付してその詳細な説明は省略する。
【００４１】
図１４〜図２０に示すように、ソファー兼用ベッド５０は、ベッド姿勢とソファー姿勢とに姿勢切換可能なマット本体２と、マット本体２を支持する支持手段５１とを備え、支持手段５１は、腰部マット１１を支持する腰部支持台６０と、頭部マット１０を支持する頭部支持脚７０と、足部マット１２を支持する足部支持脚４０とを備えている。なお、マット本体２及び足部支持脚４０は前記実施の形態と同様に構成されている。また、支持手段５１が第２支持手段に相当する。
【００４２】
腰部支持台６０について説明すると、角パイプを直方体状に連結してなる腰部支持フレーム６１が設けられ、腰部支持フレーム６１の前後の下部フレーム６１ＦＬ、６１ＢＬは外方へ突出されてその端部には上方へ延びる側板支持フレーム６２が設けられている。腰部支持フレーム６１の左右の下部フレーム６１ＬＬ、６１ＲＬの後端近傍部には前後方向への移動用の車輪６３が回転自在に設けられ、前端近傍部には床面Ｆへの設置脚６４が設けられ、腰部支持台６０は、その前側を持ち上げながら車輪６３により前後方向に容易に移動できるように構成されている。腰部支持フレーム６１内には収納ボックス６５が前後方向に出し入れ可能に設けられ、腰部支持台６０の内部スペースを有効活用できるように構成されている。
【００４３】
側板支持フレーム６２には、ソファー姿勢において腰部支持台６０の側部と足部マット１２及び腰部マット１１の側部が外部に露出しないように覆うサイドボード６６が設けられ、サイドボード６６にはアームレスト６７が、図１７に図示の上昇位置と、図１６に図示の下降位置とに位置切換可能に取付けられている。なお、サイドボード６６としては、前記実施の形態のサイドボード２３のように、上部構造体２３Ａと下部構造体２３Ｂとに分割構成したものを採用することも可能である。また、前記アームレスト６７に代えて、頭部マット１０の側部にソファー姿勢において前方へ片持ち状に延び、ベッド姿勢において頭部マット１０の側部に沿った位置に回動可能なアームレストを設けることもできる。サイドボード６６は、角パイプからなる枠状のフレーム材６６ａと、フレーム材６６ａの左右両面に固定したプラスチック段ボールからなる補強板６６ｂと、フレーム材６６ａ及び補強板６６ｂに外装した図示外のクッション材及びカバー部材と有するものである。また、アームレスト６７は、角パイプをコ字状に折り曲げてなるフレーム６７ａと、フレーム６７ａの途中部に外装した図示外のクッション材及びカバー部材を有するである。
【００４４】
腰部マット１１のマットフレーム１１ａには複数の支持ピン１１ｂが下方へ突出状に設けられ、腰部マット１１は、これら複数の支持ピン１１ｂの下端部を腰部支持フレーム６１に固定することによって、腰部支持フレーム６１上に固定載置されている。尚、このソファー兼用マット５０では、頭部マット１０の支持ピン１０ｂは省略することになる。
【００４５】
頭部支持脚７０は、中空の角パイプを略コ字状に折曲したもので、頭部支持脚７０の両端部は頭部マット１０のヘッド部１５のマットフレーム１５ａの回動中心付近に固定され、ソファー姿勢においてヘッド部１５を後方へ略水平に回動させると、頭部支持脚７０がヘッド部１５とともに回動して、本体部１４の後面に沿った位置に配置され、頭部支持脚７０が外部に露出することによる外観低下を防止できるように構成されている。
【００４６】
ヘッド部１５の後端部にはヘッド部１５の上面に沿った収納姿勢と、ヘッド部１５の上面に対して略垂直に回動させた使用姿勢とにヒンジ部材６９を介して姿勢切換可能なヘッドボード６８が設けられている。このヘッドボード６８は、角パイプからなる枠状のフレーム材６８ａと、フレーム材６８ａの前後両面に固定したプラスチック段ボールからなる補強板６８ｂと、フレーム材６８ａ及び補強板６８ｂに外装した図示外のクッション材及びカバー部材と有するもので、ベッド姿勢において使用姿勢に回動させることによって、枕止めや飾り板として機能し、ソファー姿勢において収納姿勢に回動させてソファーの外観低下を防止できるように構成したものである。
【００４７】
このソファー兼用ベッド５０をベッド姿勢からソファー姿勢へ切換える方法の一例について説明すると、先ず、図１９に示すように、頭部マット１０を立ち上げて、頭部マット１０により背凭れ部６を形成し、背凭れ部６が高くなりすぎないように、頭部マット１０のヘッド部１５を後方へ略水平になるまで回動させるとともに、ヘッドボード６８をヘッド部１５の上側に重ね合わせて収納し、更にアームレスト６７を上昇位置に移動保持させる。次に、図２０に示すように、連結金具４２の連結シャフト４６を中心に足部支持脚４０の脚本体４３を約１８０度回転させて収納姿勢に切換えてから、図１７に示すように、連結手段１３を中心に足部マット１２を約１８０度回転させて、腰部マット１１の上側に足部マット１２を載置し、ソファー兼用ベッド５０をソファー姿勢に切換えることになる。このとき、足部支持脚４０は、外部に露出しないように足部マット１２及び腰部マット１１とサイドボード６６間に収納されることになる。そして、ソファー姿勢に切換えた状態で、頭部マット１０とソファーの後方の壁面間には隙間が形成されるので、必要に応じてソファー姿勢に切換えたソファー兼用ベッド５０の前部を持ち上げて後方へ移動させることになる。
【００４８】
また、ソファー姿勢からベッド姿勢に切換える際には、先程とは逆の手順で、ソファー兼用ベッド５０の前部を持ち上げて前方へ移動させ、後方の壁面との間に隙間を形成してから、足部マット１２を約１８０度回転させて、マット本体２を平板状にしてから、足部支持脚４０の脚本体４３を１８０度回転させて、１対の足部支持脚４０でマット本体２を支持させる。次に、ヘッド部１５を回動させて頭部マット１０を平板状の姿勢に切換えるとともに、ヘッドボード６８を頭部マット１０に対して略垂直な使用姿勢に切換え、頭部マット１０を水平姿勢に回動させて、頭部マット１０の遊端部を頭部支持脚７０で支持させることになる。また、必要に応じてアームレスト６７を下降位置へ移動させることになる。
【図面の簡単な説明】
【００４９】
【図１】ソファー兼用ベッドのベッド姿勢での斜視図
【図２】ソファー兼用ベッドのソファー姿勢での斜視図
【図３】クッション材を省略した状態でのソファー兼用ベッドのベッド姿勢での側面図
【図４】クッション材を省略した状態でのソファー兼用ベッドのソファー姿勢での側面図
【図５】クッション材を省略した状態でのマット本体の斜視図
【図６】クッション材を省略した状態での腰部マットと腰部支持台の正面図
【図７】クッション材を省略した状態での頭部マットと頭部支持台の正面図
【図８】腰部支持台を頭部支持台に組み合わせた状態での正面図
【図９】腰部支持台を頭部支持台に組み合わせた状態でのガイド輪付近の縦断面図
【図１０】腰部支持台及び頭部支持台の側面図
【図１１】足部支持脚の（ａ）は斜視図、（ｂ）は連結金具の縦断面図、（ｃ）の連結金具の分解斜視図
【図１２】ソファー兼用ベッドの姿勢切換え途中の説明図
【図１３】ソファー兼用ベッドの姿勢切換え途中の説明図
【図１４】他の構成のソファー兼用ベッドのベッド姿勢での斜視図
【図１５】同ソファー兼用ベッドのソファー姿勢での斜視図
【図１６】クッション材を省略した状態での同ソファー兼用ベッドのベッド姿勢での側面図
【図１７】クッション材を省略した状態での同ソファー兼用ベッドのソファー姿勢での側面図
【図１８】クッション材を省略した状態での同ソファー兼用ベッドのベッド姿勢での正面図
【図１９】同ソファー兼用ベッドの姿勢切換え途中の説明図
【図２０】同ソファー兼用ベッドの姿勢切換え途中の説明図
【符号の説明】
【００５０】
１      ソファー兼用ベッド    ２      マット本体
３      支持手段              ５      クッション部
６      背凭れ部
１０    頭部マット            １０ｂ  支持ピン
１１    腰部マット            １１ａ  マットフレーム
１１ｂ  支持ピン              １２    足部マット
１２ａ  マットフレーム        １３    連結手段
１３ａ  マットフレーム        １４    本体部
１４ａ  マットフレーム        １５    ヘッド部
１５ａ  マットフレーム        １６    補強板
１７ａ  第１ヒンジ            １７ｂ  第２ヒンジ
１７ｃ  第３ヒンジ            １７ｄ  第４ヒンジ
２０    頭部支持台            ２１    頭部支持フレーム
２１ＦＬ    下部フレーム      ２１ＢＬ    下部フレーム
２１ＬＬ    下部フレーム      ２１ＲＬ    下部フレーム
２２    側板支持フレーム      ２３    サイドボード
２３Ａ  上部構造体            ２３Ｂ  下部構造体
２３ａ  ボードフレーム        ２３ｃ  ヒンジ部材
２４    設置脚                ２５    案内フレーム
２６    後部フレーム          ２７    ヘッドボード
３０    腰部支持台            ３１    腰部支持フレーム
３１ＢＶ    縦フレーム        ３１ＬＬ    下部フレーム
３１ＲＬ    下部フレーム
３２    走行輪                ３２ａ  車輪支持金具
３２ｂ  支持シャフト          ３３    ガイド輪
３３ａ  車輪支持金具          ３４    車輪支持板
３６    収納ボックス
４０    足部支持脚            ４１    連結ピン
４２    連結金具              ４３    脚本体
４４    取付板金              ４４ａ  枢支部
４５    板バネ                ４６    連結シャフト
４７    支持スリーブ          ４７ａ  平端面
４８    固定ネジ
５０    ソファー兼用ベッド    ５１    支持手段
６０    腰部支持台            ６１    腰部支持フレーム
６１ＦＬ    下部フレーム      ６１ＢＬ    下部フレーム
６１ＬＬ    下部フレーム      ６１ＲＬ    下部フレーム
６２    側板支持フレーム      ６３    車輪
６４    設置脚                ６５    収納ボックス
６６    サイドボード          ６６ａ  フレーム材
６６ｂ  補強板                ６７    アームレスト
６７ａ  フレーム              ６８    ヘッドボード
６８ａ  フレーム材            ６８ｂ  補強板
６９    ヒンジ部材            ７０    頭部支持脚
Ｆ      床面
【図１】
2009207559.tif 000003
【図２】
2009207559.tif 000004
【図３】
2009207559.tif 000005
【図４】
2009207559.tif 000006
【図５】
2009207559.tif 000007
【図６】
2009207559.tif 000008
【図７】
2009207559.tif 000009
【図８】
2009207559.tif 000010
【図９】
2009207559.tif 000011
【図１０】
2009207559.tif 000012
【図１１】
2009207559.tif 000013
【図１２】
2009207559.tif 000014
【図１３】
2009207559.tif 000015
【図１４】
2009207559.tif 000016
【図１５】
2009207559.tif 000017
【図１６】
2009207559.tif 000018
【図１７】
2009207559.tif 000019
【図１８】
2009207559.tif 000020
【図１９】
2009207559.tif 000021
【図２０】
2009207559.tif 000022